(57)【要約】【課題】この発明は、予約が設定されているか否かをユーザが確認しやすくなるテレビジョン受像機を提供することを目的とする。【解決手段】リモコン送信機を備えたテレビジョン受像機において、テレビジョン受像機は、予約設定が完了したこと、予約実行開始時における予約設定状況および主電源オン時における予約設定状況をリモコン送信機に通知する手段を備えており、リモコン送信機は、予約設定が行なわれていることを表示するための表示灯と、テレビ受像機本体から予約設定が完了したことが通知されたとき、予約実行開始時における予約設定状況が通知されたときおよび主電源オン時における予約設定状況が通知されたときに、通知内容に基づいて表示灯の点灯状態を制御する制御手段とを備えている。【選択図】図６
2007266770.tif 000002
【特許請求の範囲】
【請求項１】
リモコン送信機を備えたテレビジョン受像機において、
テレビジョン受像機は、予約設定が完了したこと、予約実行開始時における予約設定状況および主電源オン時における予約設定状況をリモコン送信機に通知する手段を備えており、
リモコン送信機は、予約設定が行なわれていることを表示するための表示灯と、テレビ受像機本体から予約設定が完了したことが通知されたとき、予約実行開始時における予約設定状況が通知されたときおよび主電源オン時における予約設定状況が通知されたときに、通知内容に基づいて表示灯の点灯状態を制御する制御手段とを備えていることを特徴とするテレビジョン受像機。
【請求項２】
リモコン送信機を備えたテレビジョン受像機において、
テレビジョン受像機は、主電源オフ時における予約設定状況および主電源がオンされたときにおける予約設定状況をリモコン送信機に通知する手段を備えており、
リモコン送信機は、予約設定が行なわれているにもかかわらず主電源がオフされたことを表示するための表示灯と、テレビ受像機本体から主電源オフ時における予約設定状況が通知されたときおよび主電源オン時における予約設定状況が通知されたときに、通知内容に基づいて表示灯の点灯状態を制御する制御手段とを備えていることを特徴とするテレビジョン受像機。
【請求項３】
リモコン送信機を備えたテレビジョン受像機において、
テレビジョン受像機は、予約設定が完了したこと、予約実行開始時における予約設定状況、主電源オフ時における予約設定状況、および主電源オン時における予約設定状況をリモコン送信機に通知する手段を備えており、
リモコン送信機は、予約設定が行なわれていることを表示するための第１表示灯と、予約設定が行なわれているにもかかわらず主電源がオフされたことを表示するための第２表示灯と、テレビ受像機本体から予約設定が完了したことが通知されたとき、予約実行開始時における予約設定状況が通知されたときおよび主電源オン時における予約設定状況が通知されたときに、通知内容に基づいて第１表示灯の点灯状態を制御する第１制御手段と、テレビ受像機本体から主電源オフ時における予約設定状況が通知されたときおよび主電源オン時における予約設定状況が通知されたときに、通知内容に基づいて第２表示灯の点灯状態を制御する第２制御手段とを備えていることを特徴とするテレビジョン受像機。
【発明の詳細な説明】
【技術分野】
【０００１】
この発明は、テレビジョン受像機に関する。
【背景技術】
【０００２】
番組の視聴予約や録画予約の設定が既に行なわれている場合に、予約設定状況を確認するためには、テレビジョン受像機の電源を入れ、メニューから予約設定状況の表示画面を表示させる必要があった。このようなことから、予約の設定が行なわれているにもかかわらず、予約設定者以外のユーザがテレビジョン受像機の主電源を切ってしまい、予約が実行されなくなるといったことがある。
【発明の開示】
【発明が解決しようとする課題】
【０００３】
この発明は、予約が設定されているか否かをユーザが確認しやすくなるテレビジョン受像機を提供することを目的とする。
【０００４】
また、この発明は、予約設定が行なわれているにもかかわらず主電源が切断されていることをユーザに通知することができるテレビジョン受像機を提供することを目的とする。
【課題を解決するための手段】
【０００５】
請求項１に記載の発明は、リモコン送信機を備えたテレビジョン受像機において、テレビジョン受像機は、予約設定が完了したこと、予約実行開始時における予約設定状況および主電源オン時における予約設定状況をリモコン送信機に通知する手段を備えており、リモコン送信機は、予約設定が行なわれていることを表示するための表示灯と、テレビ受像機本体から予約設定が完了したことが通知されたとき、予約実行開始時における予約設定状況が通知されたときおよび主電源オン時における予約設定状況が通知されたときに、通知内容に基づいて表示灯の点灯状態を制御する制御手段とを備えていることを特徴とする。
【０００６】
請求項２に記載の発明は、リモコン送信機を備えたテレビジョン受像機において、テレビジョン受像機は、主電源オフ時における予約設定状況および主電源がオンされたときにおける予約設定状況をリモコン送信機に通知する手段を備えており、リモコン送信機は、予約設定が行なわれているにもかかわらず主電源がオフされたことを表示するための表示灯と、テレビ受像機本体から主電源オフ時における予約設定状況が通知されたときおよび主電源オン時における予約設定状況が通知されたときに、通知内容に基づいて表示灯の点灯状態を制御する制御手段とを備えていることを特徴とする。
【０００７】
請求項３に記載の発明は、リモコン送信機を備えたテレビジョン受像機において、
テレビジョン受像機は、予約設定が完了したこと、予約実行開始時における予約設定状況、主電源オフ時における予約設定状況、および主電源オン時における予約設定状況をリモコン送信機に通知する手段を備えており、
リモコン送信機は、予約設定が行なわれていることを表示するための第１表示灯と、予約設定が行なわれているにもかかわらず主電源がオフされたことを表示するための第２表示灯と、テレビ受像機本体から予約設定が完了したことが通知されたとき、予約実行開始時における予約設定状況が通知されたときおよび主電源オン時における予約設定状況が通知されたときに、通知内容に基づいて第１表示灯の点灯状態を制御する第１制御手段と、テレビ受像機本体から主電源オフ時における予約設定状況が通知されたときおよび主電源オン時における予約設定状況が通知されたときに、通知内容に基づいて第２表示灯の点灯状態を制御する第２制御手段とを備えていることを特徴とする。
【発明の効果】
【０００８】
この発明によれば、予約が設定されているか否かをユーザが確認しやすくなる。
【０００９】
また、この発明によれば、予約設定が行なわれているにもかかわらず主電源が切断されていることをユーザに通知することができるようになる。
【発明を実施するための最良の形態】
【００１０】
以下、図面を参照して、この発明の実施例について説明する。
【実施例１】
【００１１】
図１は、テレビジョン受像機のハードウエア構成を示している。
テレビジョン受像機１０は、マイコン１１を備えている。マイコン１１には、マイコン１１のプログラム等を記憶したＲＯＭ１２、必要なデータを記憶するＲＡＭ１３、視聴予約または録画予約に関する予約情報（例えば、予約の種類、予約開始時刻、予約終了時刻およびサービス）等を記憶するＮＶＲＡＭ（不揮発性メモリ）１４、リモコン送信機３０（図２参照）と通信を行なうための赤外線送受信部１５および主電源キーを含む操作部１６が接続されている。また、テレビジョン受像機１０は、チューナ１７、ＭＰＥＧデコーダ１８、モニタ１９およびスピーカ２０を備えている。
【００１２】
テレビジョン受像機１０は、電源が投入されると、マイコン１１がＲＯＭ１２に格納されたプログラム（ソフトウエア）をＲＡＭ１３上に展開した後、そのプログラムを実行する。つまり、マイコン１１は、チューナ１７で受信した放送波をＭＰＥＧデコーダ１８で処理させる。ＭＰＥＧデコーダ１８によって得られた映像信号はモニタ１９に送られ、ＭＰＥＧデコーダ１８によって得られた音声信号はスピーカ２０に送られる。
【００１３】
また、マイコン１１は、赤外線送受信部１５を介して入力されるリモコン信号に基づいて、テレビジョン受像機１０を制御する。さらに、マイコン１１は、赤外線送受信部１５を介してリモコン送信機３０に制御情報を送信する。
【００１４】
図２は、リモコン送信機３０の外観を示している。
リモコン送信機３０には、電源キー４１、チャンネル選択キー等の通常のリモコン送信機に設けられているキーが設けられている。このリモコン送信機３０には、予約状況を確認するための第１ＬＥＤ５１と、予約が行なわれている状態において主電源が切断された場合に、予約が実行されなかった可能性があることを通知するための第２ＬＥＤ５２が設けられている。
【００１５】
リモコン送信機３０の電源キー４１は、テレビジョン受像機１０の操作部１６内の主電源キーがオンされている状態において、テレビジョン受像機１０のリモコン電源をオンオフさせるものである。なお、予約を実行させるためには、主電源がオンされていることが必要である。
【００１６】
図３は、リモコン送信機３０のハードウエア構成を示している。
リモコン送信機３０は、マイコン３１を備えている。マイコン３１には、マイコン３１のプログラム等を記憶したＲＯＭ３２、必要なデータを記憶するＲＡＭ３３、電源キー４１等の各種キーを含むキー入力装置３４、第１ＬＥＤ５１および第２ＬＥＤ５２を含む発光装置３５およびテレビジョン受像機１０と通信を行なうための赤外線送受信部３６が接続されている。
【００１７】
マイコン３１は、キー入力装置３４からのデータを赤外線送受信部３６をテレビジョン受像機１０に送信する。また、マイコン３１は赤外線送受信部３６を介して入力されるテレビジョン受像機１０からの制御データに基づいて、発光装置３５内の第１ＬＥＤ５１および第２ＬＥＤ５２を制御する。
【００１８】
図４は、テレビジョン受像機１０のソフトウエアモジュールの構成を示している。
予約制御部１１２は、赤外線受信制御部１１１で受信した予約に関するデータに基づいて予約設定を行なう。つまり、赤外線受信制御部１１１で受信した予約に関するデータに基づいて予約情報を生成し、生成した予約情報をＮＶＲＡＭ制御部１１３を介してＮＶＲＡＭ（不揮発性メモリ）１４に格納する。また、予約制御部１１２は、予約情報を監視し、予約実行開始時刻になると予約を実行させる。
【００１９】
予約制御部１１２は、予約設定が完了したときには予約設定完了通知のデータを赤外線送信制御部１１６を介してリモコン送信機３０に送信する。予約制御部１１２は、予約実行を開始したとき（視聴予約に対する視聴処理または録画予約における録画処理を開始したとき）には予約実行開始通知のデータと、未実行の予約情報が存在するか否かを表すデータとを、赤外線送信制御部１１６を介してリモコン送信機３０に送信する。未実行の予約情報とは、予約開始時刻に到達していないために実行されていない予約情報をいう。        
【００２０】
終了処理部１１４は、主電源をオフにする操作が行なわれた場合に、主電源ＯＦＦ通知のデータと、未実行の予約情報が存在するか否かを表すデータとを、赤外線送信制御部１１６を介してリモコン送信機３０に送信する。
【００２１】
開始処理部１１５は、主電源がオンされた場合に、主電源ＯＮ通知のデータと、未実行の予約情報が存在するか否かを表すデータとを、赤外線送信制御部１１６を介してリモコン送信機３０に送信する。  
【００２２】
図５は、リモコン送信機３０のソフトウエアモジュールの構成を示している。
入力制御部１３１はキー入力装置３４から入力されたデータを、赤外線送信制御部１３２を介してテレビジョン受像機１０に送る。
【００２３】
赤外線送信制御部１３３はテレビジョン受像機１０からの制御データを受信し、発光装置制御部１３４に送る。発光装置制御部１３４は制御データに基づいて、発光装置３５内の第１ＬＥＤ５１および第２ＬＥＤ５２を制御する。この実施例では、後述するように、予約状況をユーザが確認できるようにするために、予約設定が行なわれている場合には第１ＬＥＤ５１が点灯状態にされる。また、予約設定が行なわれている状態において主電源が切断された場合には、予約が実行されなかった可能性があることをユーザに通知するために、第２ＬＥＤ５２が点滅状態にされる。
【００２４】
図６は、リモコン送信機３０のマイコン３１（発光装置制御部１３４）によるＬＥＤ制御処理手順を示している。
【００２５】
通常はテレビジョン受像機１０からの制御データ受信待ち状態となっている。テレビジョン受像機１０からの制御データを受信すると（ステップＳ１）、制御データが予約設定完了通知であるか（ステップＳ２）、予約実行開始通知であるか（ステップＳ３）、主電源ＯＦＦ通知であるか（ステップＳ４）、主電源ＯＮ通知であるか（ステップＳ５）を判別する。
【００２６】
受信した制御データが予約設定完了通知であると判別した場合には（ステップＳ２でＹＥＳ）、第１ＬＥＤ５１を点灯状態にさせる（ステップＳ６）。そして、ステップＳ１に戻る。
【００２７】
受信した制御データが予約実行開始通知であると判別した場合には（ステップＳ３でＹＥＳ）、それと同時にテレビジョン受像機１０から送られてきた未実行の予約情報が存在するか否かを表すデータに基づいて、未実行の予約情報が存在するか否かを判別する（ステップＳ７）。
【００２８】
未実行の予約情報が存在すると判別した場合には、第１ＬＥＤ５１を点灯状態にさせる（ステップＳ８）。そして、ステップＳ１に戻る。上記ステップＳ７において、未実行の予約情報が存在しないと判別した場合には、第１ＬＥＤ５１を消灯状態にさせる（ステップＳ９）。そして、ステップＳ１に戻る。
【００２９】
受信した制御データが主電源ＯＦＦ通知であると判別した場合には（ステップＳ４でＹＥＳ）、それと同時にテレビジョン受像機１０から送られてきた未実行の予約情報が存在するか否かを表すデータに基づいて、未実行の予約情報が存在するか否かを判別する（ステップＳ１０）。
【００３０】
未実行の予約情報が存在すると判別した場合には、第２ＬＥＤ５２を点滅状態にさせる（ステップＳ１１）。そして、ステップＳ１に戻る。上記ステップＳ１０において、未実行の予約情報が存在しないと判別した場合には、ステップＳ１に戻る。
【００３１】
受信した制御データが主電源ＯＮ通知であると判別した場合には（ステップＳ５でＹＥＳ）、それと同時にテレビジョン受像機１０から送られてきた未実行の予約情報が存在するか否かを表すデータに基づいて、未実行の予約情報が存在するか否かを判別する（ステップＳ１２）。
【００３２】
未実行の予約情報が存在すると判別した場合には、第１ＬＥＤ５１を点灯状態にさせる（ステップＳ１３）。そして、ステップＳ１４に移行する。上記ステップＳ１２において、未実行の予約情報が存在しないと判別した場合には、ステップＳ１４に移行する。ステップＳ１４では、第２ＬＥＤ５２が点滅状態となっているか否かを判別する。第２ＬＥＤ５２が点滅状態となっている場合には、第２ＬＥＤ５２を消灯状態にする（ステップＳ１５）。そして、ステップＳ１に移行する。上記ステップＳ１４において、第２ＬＥＤ５２が点滅状態となっていない場合には、ステップＳ１に移行する。
【００３３】
上記実施例によれば、予約設定が行なわれている場合には、リモコン送信機３０上の第１ＬＥＤ５１が点灯状態となるので、ユーザは予約設定が行なわれているか否かを容易に確認することができる。
【００３４】
また、予約設定が行なわれている状態において主電源が切断されたときには第２ＬＥＤ５２が点滅状態にされるので、ユーザは予約設定が行なわれているのにかかわらず主電源が切断されていることを知ることができる。この結果、予約が失敗するのを回避するためにユーザが主電源を入れる可能性が高くなる。
【００３５】
なお、第１ＬＥＤ５１と第２ＬＥＤ５２の発光色を異なるようにしてもよい。また、第１ＬＥＤ５１を点灯状態にする代わりに点滅状態にしてもよい。また、第２ＬＥＤ５２を点滅状態にする代わりに点灯状態にしてもよい。
【図面の簡単な説明】
【００３６】
【図１】テレビジョン受像機のハードウエア構成を示すブロック図である。
【図２】リモコン送信機３０の外観を示す模式図である。
【図３】リモコン送信機３０のハードウエア構成を示すブロック図である。
【図４】テレビジョン受像機１０のソフトウエアモジュールの構成を示すブロック図である。
【図５】リモコン送信機３０のソフトウエアモジュールの構成を示すブロック図である
【図６】リモコン送信機３０のマイコン３１によるＬＥＤ制御処理手順を示すフローチャートである。
【符号の説明】
【００３７】
１０  テレビジョン受像機
１１  マイコン
１２  ＲＯＭ
１３  ＲＡＭ
１４  ＮＶＲＡＭ
１５  赤外線送受信部
３０  リモコン送信機
３１  マイコン
３２  ＲＯＭ
３３  ＲＡＭ
３４  キー入力装置
３５  発光装置
３６  赤外線送受信部
５１、５２  ＬＥＤ
【図１】
2007266770.tif 000003
【図２】
2007266770.tif 000004
【図３】
2007266770.tif 000005
【図４】
2007266770.tif 000006
【図５】
2007266770.tif 000007
【図６】
2007266770.tif 000008